(57)【特許請求の範囲】
【請求項１】
ケース本体に蓋体をスライド自在に設けるとともに一側面側に開口部を設け、前記開口部からカートリッジを収納かつ取り出し可能であり、
前記ケース本体には、前記カートリッジの収納位置及び前記開口部から前記カートリッジの一部が露出した所定位置でそれぞれ前記カートリッジのクランプ部と係合して前記カートリッジを一定力で弾性支持する第１係合部及び第２係合部を備えるストッパーが設けられるとともに、前記カートリッジの前記クランプ部と前記ストッパーの前記第２係合部とが係合する位置で前記蓋体の爪部と係合する突起部が設けられ、
前記蓋体の前記爪部は、弾性変形可能な腕部に連結され、前記蓋体のスライドにより前記突起部を乗り越え可能に形成されていることを特徴とするカートリッジ収納ケース。
【請求項２】
請求項１に記載のカートリッジ収納ケースにおいて、
前記ケース本体の前記突起部より前記開口部側の位置には、前記開口部側と反対側から前記爪部が乗り越え不能な抜け防止突起部が設けられていることを特徴とするカートリッジ収納ケース。
【請求項３】
請求項２に記載のカートリッジ収納ケースにおいて、
前記蓋体の前記爪部は、前記ケース本体の前記抜け防止突起部を前記開口部側から乗り越え可能に形成されていることを特徴とするカートリッジ収納ケース。
【発明の詳細な説明】
【０００１】
【発明の属する技術分野】
本発明は、ディスクカートリッジ等のカートリッジを収納するカートリッジ収納ケースに関し、特にケース本体に取り付けた蓋体をスライドさせることにより内部に収納したカートリッジを押し出し可能なカートリッジ収納ケースに関するものである。
【０００２】
【従来の技術】
従来より、ディスク状媒体を内部に収納したＭＤ等のカートリッジを、不使用時に収納するカートリッジ収納ケース（以下、単に「ケース」という。）が知られている。
図１９は、従来のケースの第１例を示す分解斜視図である。このケース１０は、上ケース１１と下ケース１２とを嵌合させたものである。そして、ケース１０の一側面側に開口部１３を形成し、この開口部１３からカートリッジを出し入れするものである。また、上ケース１１及び下ケース１２の開口部１３側の１辺中央外縁には、それぞれ凹状に切り欠いた切り欠き部１１ａ及び１２ａが形成されている。これらの切り欠き部１１ａ及び１２ａは、収納したカートリッジを取り出す時にカートリッジを容易に把持できるようにするためのものである。
【０００３】
また、従来のケースの第２例として、特開平５−２７８７７５号公報に開示されたものが挙げられる。このケースは、上記第１例と略同様であるが、ケースの内側に、弾性変位するロック部材を備えている。そして、カートリッジがケース内に収納されたときは、ロック部材によりカートリッジが保持され、カートリッジがケース外に容易に出ないようにしたものである。
【０００４】
さらにまた、従来のケースの第３例として、特開平９−２０２３８０号公報に開示されたものが挙げられる。このケースは、下函と、その下函に対してスライド可能な可動蓋とから構成されており、可動蓋をスライドさせることによって、収納したカートリッジを押し出すことができるようにしたものである。また、このケースでは、可動蓋を最後までスライドさせても、カートリッジの落下防止機能（バネ機構）のバネ圧でカートリッジを押さえている。
【０００５】
【発明が解決しようとする課題】
しかし、前述の従来のケースにおいて、第１例のケースでは、開口部１３側を下に向ければ、カートリッジをその自重により自然落下させることができるが、カートリッジの不慮の落下のおそれがあるという問題がある。
また、第２例のケースでは、両手を用いなければカートリッジの取り出しができず、取り扱いに不便であるという問題がある。
【０００６】
さらに、第３例のケースでは、片手で可動蓋をスライドさせれば収納したカートリッジの一部が排出口から突出するが、この状態においてもカートリッジはバネ圧で押さえられているので、カートリッジを取り出すためには、結局両手を使用しなければならないという問題がある。
【０００７】
したがって、本発明が解決しようとする課題は、ケース内に収納したカートリッジを必要に応じて片手で簡便に取り出すことができるとともに、カートリッジの不慮の落下を防止することである。
【０００８】
【課題を解決するための手段】
上述の課題を解決するために、請求項１の発明は、ケース本体に蓋体をスライド自在に設けるとともに一側面側に開口部を設け、前記開口部からカートリッジを収納かつ取り出し可能であり、前記ケース本体には、前記カートリッジの収納位置及び前記開口部から前記カートリッジの一部が露出した所定位置でそれぞれ前記カートリッジのクランプ部と係合して前記カートリッジを一定力で弾性支持する第１係合部及び第２係合部を備えるストッパーが設けられるとともに、前記カートリッジの前記クランプ部と前記ストッパーの前記第２係合部とが係合する位置で前記蓋体の爪部と係合する突起部が設けられ、前記蓋体の前記爪部は、弾性変形可能な腕部に連結され、前記蓋体のスライドにより前記突起部を乗り越え可能に形成されていることを特徴とする。
【０００９】
請求項２の発明は、請求項１に記載のカートリッジ収納ケースにおいて、前記ケース本体の前記突起部より前記開口部側の位置には、前記開口部側と反対側から前記爪部が乗り越え不能な抜け防止突起部が設けられていることを特徴とする。
【００１０】
請求項３の発明は、請求項２に記載のカートリッジ収納ケースにおいて、前記蓋体の前記爪部は、前記ケース本体の前記抜け防止突起部を前記開口部側から乗り越え可能に形成されていることを特徴とする。
【００１１】
【作用】
請求項１の発明においては、カートリッジは、ケース内部に収納されると、カートリッジのクランプ部とストッパーの第１係合部とが係合することによって保持される。蓋体をスライドさせると、カートリッジが蓋体により押され、カートリッジのクランプ部とストッパーの第１係合部との係合が解除されて開口部側に移動する。
【００１２】
そして、蓋体の爪部とケース本体の突起部とが係合する位置まで蓋体をスライドさせると、カートリッジは、その一部が開口部から露出し、カートリッジのクランプ部とストッパーの第２係合部とが係合することによって保持される。この状態において、カートリッジを引き抜くことが可能となる。さらに蓋体をスライドさせると、蓋体の爪部が突起部を乗り越え、カートリッジのクランプ部とストッパーの第２係合部との係合が解除され、カートリッジは、開口部から排出される。
【００１３】
さらに請求項２の発明においては、蓋体を最後までスライドさせると、蓋体の爪部とケース本体の抜け防止突起部とが当接して、蓋体のそれ以上のスライドが規制される。
さらにまた、請求項３の発明においては、蓋体をケース本体に対してスライドさせると、爪部が抜け防止突起部を乗り越え、両者が嵌合する。
【００１４】
【発明の実施の形態】
以下、図面等を参照して、本発明の一実施形態について説明する。
（第１実施形態）
図１は、本発明の一実施形態であるカートリッジ収納ケース２０（以下、単に「ケース２０」という。）の外観を示す斜視図であり、図２は、ケース２０を分解して示す斜視図である。また、図３は、蓋体４０の内面側を上にした斜視図である。
このケース２０は、ケース本体３０に蓋体４０をスライド自在に設けるとともに一側面側に開口部２０ａを設け、開口部２０ａからカートリッジを収納可能であり、かつ蓋体４０をスライドさせることによって収納したカートリッジを押し出し可能としたものである。
【００１５】
ケース本体３０及び蓋体４０の材料としては、透明性を有する樹脂、例えばＰＣ（ポリカーボネート）、ＡＳ（ＳＡＮ、アクリロニトリル・スチレン共重合樹脂）、ＰＳ（ポリスチレン）、ＰＭＭＡ（メタクリル樹脂）が用いられる。
ケース本体３０は、底面部３１と、開口部２０ａとなる辺以外の３辺の周縁部に設けた側壁３２及び３３とを備えている。一対の対向する側壁３３の上端部には、蓋体４０と嵌合するためのＬ字状の嵌合部３３ａが形成されている。
【００１６】
さらに、側壁３３の一部には、上側から凹状に切り欠いた係合部３３ｂが形成されている。係合部３３ｂは、ストッパー５０Ａ、５０Ｂを組み込むためのものである。図４は、係合部３３ｂを詳細に示す斜視図である。図４に示すように、係合部３３ｂの外側両端部には、一部を係合部３３ｂの内方向に突出させた爪状の係止部３３ｂ−１が形成されており、係止部３３ｂ−１によりストッパー５０Ａ、５０Ｂが保持される。
【００１７】
さらにまた、ケース本体３０において、側壁３３の内面側には、凸部３３ｃ、突起部３３ｄ及び抜け防止突起部３３ｅが並設されている。凸部３３ｃは、ストッパー５０Ａ、５０Ｂと当接する部分であり、突起部３３ｄ及び抜け防止突起部３３ｅは、蓋体４０と係合する部分である。突起部３３ｄは、図５に示すように略半円筒状をなし、抜け防止突起部３３ｅは、図６に示すように略直方体状をなしている。
【００１８】
ケース本体３０の底面部３１において、側壁３２側以外の３辺の外縁部には、他の部分より一段高くした段差部３１ａが形成されている。
さらに、側壁３２と３３とでなす角部近傍（２箇所）には、Ｌ字状の突起部３１ｂが対称に設けられている。これらの段差部３１ａ及び突起部３１ｂは、後述するインデックスカードの動きを規制するものである。
【００１９】
蓋体４０は、天面部４１と、天面部４１の内面側において開口部２０ａとなる辺以外の３辺周縁部に設けられた側壁４２及び４３とを備える。
天面部４１の外面側（図２）には、表面を凹凸状とした操作部４１ａが形成されている。この操作部４１ａは、蓋体４０をスライドさせるときに、指が滑らないようにするものである。
【００２０】
また、側壁４２は、蓋体４０のスライドにより収納したカートリッジを押し出す部分であり、蓋体４０がケース本体３０と嵌合したときに、ケース本体３０の側壁３２の内側に配置される。
さらにまた、側壁４３の外面側には、ケース本体３０の側壁３３の嵌合部３３ａと嵌合する凹状の嵌合部４３ａが設けられている。
さらに側壁４３の図３中、上面側には爪部４３ｂが形成されている。図７は、爪部４３ｂを詳細に示す斜視図である。爪部４３ｂは、その先端部がある程度の丸みを有するように形成されるとともに、弾性たわみが可能な腕部４３ｃに連結されており、蓋体４０の内側方向に弾性移動が可能である。爪部４３ｂは、上述の突起部３３ｄ及び抜け防止突起部３３ｅと係合する（図５及び図６参照）。
【００２１】
図８（ａ）、（ｂ）は、それぞれストッパー５０Ａ及び５０Ｂを詳細に示す斜視図である。ストッパー５０Ａと５０Ｂとは、左右対称形状に形成されている。ストッパー５０Ａ及び５０Ｂは、それぞれケース本体３０の凹状の係合部３３ｂに入り込む部分となる取付部５１と、取付部５１の両側に設けられた弾性変形可能な腕部５２及び５３とを備える。取付部５１の上側両端部には略Ｌ字状に切り欠いた切り欠き部５１ａが形成され、これがケース本体３０の係止部３３ｂ−１と係合する。また、腕部５２及び５３には、ケース２０の内側に略円弧状に突出する係合部（第１係合部）５２ａ及び（第２係合部）５３ａが設けられている。
【００２２】
ケース本体３０にストッパー５０Ａ、５０Ｂを組み込み、このケース本体３０に蓋体４０を嵌合すれば、図１のケース２０となる。
ストッパー５０Ａ、５０Ｂをケース本体３０の係合部３３ｂ内に挿入するときに、係止部３３ｂ−１が弾性変形してストッパー５０Ａ、５０Ｂの取付部５１が係合部３３ｂ内に入り込むとともに、取付部５１の切り欠き部５１ａ上に係止部３３ｂ−１が位置し、ストッパー５０Ａ、５０Ｂが上側から抜けないように組み込まれる（図４）。さらに、ストッパー５０Ａ、５０Ｂの腕部５３の端部は、ケース本体３０の凸部３３ｃ上に位置する（図１３参照）。
【００２３】
ケース本体３０と蓋体４０とを嵌合させるときは、図２に示すように、蓋体４０の側壁４２側を、ケース本体３０の開口部２０ａ側からスライドさせ、ケース本体３０の側壁３３の嵌合部３３ａと蓋体４０の側壁４３の嵌合部４３ａとを嵌合させる。
【００２４】
最初に蓋体４０をケース本体に嵌合させるときは、蓋体４０の爪部４３ｂの上端部と抜け防止突起部３３ｅとが当接するが、この爪部４３ｂの上端部がテーパー面となっているので（図７）、蓋体４０がスライドされるに従い爪部４３ｂと連結する腕部４３ｃが内側に撓み、爪部４３ｂは抜け防止突起部３３ｅを乗り越える。
さらに蓋体４０をスライドさせると爪部４３ｂは次に突起部３３ｄと当接するが、上述と同様に爪部４３ｂは突起部３３ｄを乗り越える。そして、蓋体４０は、側壁４２がケース本体３０の側壁３２と当接する位置で停止する。
【００２５】
ケース本体３０と嵌合した蓋体４０は、ケース本体３０に対して上下に移動できず、スライドのみが可能な状態となる。図９は、図１のＡ−Ａ断面を示す断面図である。図９に示すように、ケース本体３０と蓋体４０とが嵌合したときは、ケース本体３０のＬ字状の嵌合部３３ａは、蓋体４０の凹状の嵌合部４３ａ内に入り込む。このときに、蓋体４０の側壁４３は、ケース本体３０の底面部３１の段差部３１ａより外側に配置される。
【００２６】
図１０は、本実施形態のケース２０に収納されるカートリッジ６０を示す平面図である。図中、（ａ）及び（ｂ）は、それぞれ裏面側及び表面側を示す。本実施形態のカートリッジ６０は、ＭＤ（ミニディスク）、すなわち光ディスクを内部に収納し、開閉自在なシャッター６１を設けたディスクカートリッジである。カートリッジ６０の下面側において、シャッター６１が取り付けられた辺及びこれと対向する辺には、左右対称の位置にクランプ部６２が形成されている。クランプ部６２は、略Ｕ字型に表面を凹状に形成したものであり、情報記録再生装置内に挿入されたときに装置側のクランパーと係合し、カートリッジ６０の位置決めに用いられるものである。
【００２７】
カートリッジ６０は、表面側を上として、図１０中、Ｂ方向にケース２０の開口部２０ａから内部に入れられる。カートリッジ６０がケース２０内に収納されると、図１１に示すように、カートリッジ６０のクランプ部６２にストッパー５０の係合部５２ａが入り込んで、カートリッジ６０が保持される。この状態では、カートリッジ６０は、開口部２０ａ側に引き抜くと取り出し可能な程度の力で保持されているが、開口部２０ａを下側にした程度、すなわちカートリッジ６０に自重が加わった程度ではカートリッジ６０のクランプ部６２とストッパー５０の係合部５２ａとが外れない力で保持されている。
【００２８】
一方、カートリッジ６０を取り出すときは、蓋体４０をケース本体３０に対して開口部２０ａ側にスライドさせる（図１３参照）。
先ず、蓋体４０のスライドを開始すると、カートリッジ６０は、蓋体４０の側壁４２によって押され、カートリッジ６０のクランプ部６２とストッパー５０の係合部５２ａとの係合が解除され、開口部２０ａ側に移動される。蓋体４０をさらにスライドさせると、蓋体４０の爪部４３ｂがケース本体３０の突起部３３ｄと当接する（図５）。
【００２９】
この位置（以下、「中間位置」という。）まで蓋体４０がスライドすると、カートリッジ６０は、図１２に示すように、クランプ部６２がストッパー５０の係合部５３ａと係合する。ここで、係合部５３ａは、ケース本体３０の凸部３３ｃにより弾性力を発揮している。これにより、カートリッジ６０は、中間位置では再びストッパー５０により開口部２０ａから容易に脱落しない程度の力で保持される。なお、この状態から蓋体４０を反対方向にスライドさせて初期位置に戻しても、カートリッジ６０は、クランプ部６２がストッパー５０の係合部５３ａと係合する状態を維持する。
【００３０】
中間位置から蓋体４０を一定以上の力で開口部２０ａ側にスライドさせると、爪部４３ｂと連結した腕部４３ｃがケース本体内側に撓み、爪部４３ｂが突起部３３ｄを乗り越え、蓋体４０がさらに開口部２０ａ側に移動する。このときは、カートリッジ６０のクランプ部６２とストッパー５０の係合部５３ａとの係合が解除され、カートリッジ６０は、蓋体４０の側壁４２に押されて開口部２０ａ側に移動する。そして、カートリッジ６０のクランプ部６２とストッパー５０の係合部５３ａとの係合の解除後は、カートリッジ６０は、ケース２０によって何ら保持されていない。
【００３１】
蓋体４０をさらにスライドさせると、蓋体４０の爪部４３ｂがケース本体３０の開口部２０ａ近傍の抜け防止突起部３３ｅと係合し（図６）、これ以降の蓋体４０のスライドが制限される。
すなわち、突起部３３ｄは略半円筒状であるので、突起部３３ｄと爪部４３ｂとの係合は比較的容易に外れるが、抜け防止突起部３３ｅは略直方体状であるので、蓋体４０をスライドさせても抜け防止突起部３３ｅと爪部４３ｂとの係合は外れないようになっている。
なお、蓋体４０がこの位置（以下、「最終位置」という。）までスライドすると、カートリッジ６０は開口部２０ａから抜け出る。
【００３２】
よって、使用者は、蓋体４０を軽くスライドさせると、蓋体４０が中間位置で停止する。そして、この中間位置ではカートリッジ６０はケース２０から落下しない程度の力で保持されるので、カートリッジ６０を誤って落下させてしまうことを防止することができる。さらにこの中間位置ではカートリッジ６０の一部が開口部２０ａから露出しているので、使用者は、カートリッジ６０を引き抜くことができ、これによりカートリッジ６０のクランプ部６２とストッパー５０の係合部５２ａとの係合が解除され、カートリッジ６０を取り出すことができる。
【００３３】
また、使用者は、蓋体４０を強めにスライドさせれば、蓋体４０は中間位置で停止することなく最終位置まで一時にスライドされるので、カートリッジ６０を引き抜く必要はなく、自然に取り出すことができる。これにより、ケース２０からカートリッジ６０を片手で取り出すことができる。ただし、この場合でも、中間位置において爪部４３ｂが突起部３３ｄを乗り越えるときの反力が蓋体４０に加わるので、カートリッジ６０が何らケース２０に保持されていない状態となったことを使用者に認識させることができ、カートリッジ６０の不慮の落下を防止することができる。
なお、蓋体４０は、最終位置で爪部４３ｂと抜け防止突起部３３ｅとの係合によりロックされるので、ケース本体３０から蓋体４０が外れることを防止することができる。
【００３４】
次に、ケース２０に設けられるインデックスカード７０について説明する。
図１３は、ケース２０内に配置されたインデックスカード７０を示す斜視図であり、図１４は、図１３のＣ部を詳細に示す斜視図である。
図１３に示すように、インデックスカード７０は、１枚のシート状体をＬ字状に折り曲げたものであり、ケース本体３０の底面部３１及び側壁３２の内面側を覆うように配置されている。
【００３５】
そして、図１４に示すように、インデックスカード７０には切り欠き部７１が形成され、この切り欠き部７１がケース本体３０の底面部３１に設けた突起部３１ｂと係合している。
また、インデックスカード７０のうちケース本体３０の底面部３１上に載置された部分は、底面部３１に形成した段差部３１ａの内側に配置されている。
【００３６】
インデックスカード７０の出し入れをするときは、図１３に示すように蓋体４０を途中までスライドさせ、ケース本体３０の上面側を開口する。そして、図１５に示すように、この開口した部分からインデックスカード７０の出し入れを行えば良い。また、インデックスカード７０の切り欠き部７１を、ケース本体３０の突起部３１ｂに係合する。
【００３７】
インデックスカード７０が配置された状態でカートリッジ６０が収納され、蓋体４０をスライドさせたときでも、カートリッジ６０のみが押し出される。すなわち、カートリッジ６０の取り出し時には、カートリッジ６０とインデックスカード７０との摩擦力により、インデックスカード７０には開口部２０ａ側に滑る力が働くが、インデックスカード７０の切り欠き部７１がケース本体３０の突起部３１ｂと係合しており、さらにケース本体３０の底面部３１の段差部３１ａによってインデックスカード７０の滑りが規制されるので、インデックスカード７０が動いてしまうことはない。
【００３８】
（第２実施形態）
図１６は、本発明の第２実施形態のケース２０Ａの要部を示す斜視図であり、図１７は、図１６のＤ−Ｄ断面を詳細に示す断面図である。
本実施形態ではストッパー５０Ｃ、５０Ｄ（それぞれ第１実施形態のストッパー５０Ａ、５０Ｂに相当するもの）が設けられている点で第１実施形態と異なり、その他は、第１実施形態と同様である。
【００３９】
このストッパー５０Ｃ、５０Ｄの取付部５１の上側には、略Ｔ字状に形成した摺動補助部５４が設けられている点で第１実施形態のストッパー５０Ａ、５０Ｂと異なる。また、ストッパー５０Ｃ、５０Ｄは、ＰＯＭ（ポリアセタール樹脂）等から形成されている。これは、ケース本体３０及び蓋体４０に透明性を有する樹脂を用いるので、ケース本体３０と蓋体４０との間にＰＯＭ等からなる摺動補助部５４を介在させて摺動性を高めるためである。また、ＰＯＭ等は、ストッパーとしての弾性が良好だからである。
【００４０】
ケース本体３０と蓋体４０とを嵌合させたときは、図１７に示すように、ケース本体３０と蓋体４０との間に、ストッパー５０Ｃ、５０Ｄの摺動補助部５４が介在し、蓋体４０は、スライド時に実質的に摺動補助部５４と摺動することになる。よって、蓋体４０のスライドをよりスムーズに行うことができるとともに、長期使用によってもケース本体３０の削れ等をなくすことができる。
【００４１】
（第３実施形態）
図１８は、本発明の第３実施形態のケース２０Ｂを示す外観斜視図である。本実施形態では蓋体４０Ａ（第１実施形態の蓋体４０に相当するもの）が設けられている点で第１実施形態と異なり、その他は第１実施形態と同様である。
この蓋体４０Ａは、第１実施形態の蓋体４０と比較して、ケース２０Ｂの開口部２０ａ側の中央外縁部に凹状の切り欠き部４４が形成されている点で蓋体４０と異なり、その他は蓋体４０と同様である。
【００４２】
この実施形態では、蓋体４０をスライドさせることなく、従来の第１例（図１９）と同様にカートリッジ６０を単に引き抜くのみで、カートリッジ６０を取り出すことができる。ただし、このときは、カートリッジ６０のクランプ部６２とストッパー５０の係合部５２ａとの係合を解除できる力で引き抜く必要がある。
したがって、使用者は、蓋体４０Ａをスライドさせないでカートリッジ６０を取り出すか、又は上述のように蓋体４０を中間位置までスライドさせてからカートリッジ６０を引き抜くか若しくは蓋体４０を最終位置までスライドさせてカートリッジ６０を取り出すかを、任意に選択することができる。
【００４３】
以上、本発明の一実施形態について説明したが、本発明は、上述した実施形態に限定されることなく、種々の変形が可能である。
（１）蓋体４０の操作部４１ａは、表面粗さを他の部分より粗くした粗面から構成しても良い。
（２）本実施形態では、カートリッジ６０としてＭＤを例に挙げたが、例えば磁気ディスク（３．５インチ形フロッピーディスク等）に対しても、本発明を適用することができる。
（３）本発明では、ストッパー５０の係合部５２ａと５３ａとのそれぞれのカートリッジ６０の保持力は任意であるが、係合部５３ａの保持力を係合部５２ａの保持力より弱く設定すれば、取り扱い性を高めることができ、好ましい。
【００４４】
【発明の効果】
請求項１の発明によれば、蓋体を軽くスライドさせれば蓋体が途中で停止し、カートリッジは、その一部が開口部から露出した状態でストッパーの第２係合部に保持される。これにより、カートリッジを引き抜くことができるとともに、カートリッジの不慮の落下を防止することができる。また、蓋体をさらにスライドさせれば、カートリッジが開口部から排出されるので、カートリッジを片手で簡便に取り出すことができる。
【００４５】
さらに請求項２の発明によれば、蓋体を最後までスライドさせたときに、蓋体がケース本体から外れてしまうことを防止することができる。
さらにまた、請求項３の発明によれば、蓋体をスライドさせて、蓋体とケース本体とを嵌合させることができる。
【図面の簡単な説明】
【図１】本発明の一実施形態であるカートリッジ収納ケースを示す外観斜視図である。
【図２】ケースを分解して示す斜視図である。
【図３】蓋体の内面側を上にした斜視図である。
【図４】ケース本体の係合部を詳細に示す斜視図である。
【図５】ケース本体の突起部を詳細に示す斜視図である。
【図６】ケース本体の抜け防止突起部を詳細に示す斜視図である。
【図７】蓋体の爪部を詳細に示す斜視図である。
【図８】ストッパーを詳細に示す斜視図である。
【図９】図１のＡ−Ａ断面を示す断面図である。
【図１０】本実施形態のケースに収納されるカートリッジを示す平面図である。
【図１１】カートリッジとストッパーとの係合を示す平面図である。
【図１２】カートリッジとストッパーとの係合を示す平面図である。
【図１３】ケースと、ケース内に配置されたインデックスカードを示す斜視図である。
【図１４】図１３のＣ部を詳細に示す斜視図である。
【図１５】インデックスカードの出し入れの状態を示す斜視図である。
【図１６】本発明の第２実施形態のケースの要部を示す斜視図である。
【図１７】図１６のＤ−Ｄ断面を詳細に示す断面図である。
【図１８】本発明の第３実施形態のケースを示す外観斜視図である。
【図１９】従来のケースの第１例を示す分解斜視図である。
【符号の説明】
２０  カートリッジ収納ケース
２０ａ  開口部
３０  ケース本体
３１  底面部
３２、３３  側壁
３３ｄ  突起部
３３ｅ  抜け防止突起部
４０  蓋体
４１  天面部
４１ａ  操作部
４２、４３  側壁
４３ｂ  爪部
４３ｃ  腕部
５０（５０Ａ、５０Ｂ）  ストッパー
５２ａ  係合部（第１係合部）
５３ａ  係合部（第２係合部）
６０  カートリッジ
６２  クランプ部
７０  インデックスカード
【図１】
0003919910.tif 000002
【図２】
0003919910.tif 000003
【図３】
0003919910.tif 000004
【図４】
0003919910.tif 000005
【図５】
0003919910.tif 000006
【図６】
0003919910.tif 000007
【図７】
0003919910.tif 000008
【図８】
0003919910.tif 000009
【図９】
0003919910.tif 000010
【図１０】
0003919910.tif 000011
【図１１】
0003919910.tif 000012
【図１２】
0003919910.tif 000013
【図１３】
0003919910.tif 000014
【図１４】
0003919910.tif 000015
【図１５】
0003919910.tif 000016
【図１６】
0003919910.tif 000017
【図１７】
0003919910.tif 000018
【図１８】
0003919910.tif 000019
【図１９】
0003919910.tif 000020